(57)【要約】【課題】他の動力源を一切用いることなく、越流水の水圧を利用してドラムスクリーンを回転させて、越流水に含むごみを、ドラムスクリーンに目詰まりを生じることなく、該ドラムスクリーンにて濾過除去することにより円滑に除去できるようにした越流水の除塵装置を提供すること。【解決手段】流水路６に設けた越流堰１の上方位置に回転可能に配設したドラムスクリーン２と、越流堰１の下流側で、かつドラムスクリーン２にて濾過された越流水の放流部との間に配設し、ドラムスクリーン２の外表面に付着し、逆洗にて除去されるごみを受け、系外に排出するようにした濾過ごみ排出樋３とより構成する。【選択図】  図１
2004275942.tif 000002
【特許請求の範囲】
【請求項１】
流水路に設けた越流堰の上方位置に回転可能に配設したドラムスクリーンと、該越流堰の下流側で、かつドラムスクリーンにて濾過された越流水の放流部との間に配設し、ドラムスクリーンの外表面に付着し、逆洗にて除去されるごみを受け、系外に排出するようにした濾過ごみ排出樋とより構成したことを特徴とする越流水の除塵装置。
【請求項２】
ドラムスクリーンを、円筒形としたことを特徴とする請求項１記載の越流水の除塵装置。
【請求項３】
ドラムスクリーンを、ドラムスクリーンを経て放流部に流下する越流水の流下水圧にて回転するように配設した水車にて回転するように構成したことを特徴とする請求項１又は２記載の越流水の除塵装置。
【発明の詳細な説明】
【０００１】
【発明の属する技術分野】
本発明は、越流水の除塵装置に関し、特に、流水路に設けた越流堰に配設する除塵装置で、簡易な構成で、かつ越流水の水流にて除塵装置の洗浄と駆動とを行うようにした越流水の除塵装置に関するものである。
【０００２】
【従来の技術】
従来、分流式下水道の管渠施設においては、雨天時における雨水を一時的に雨水貯留池に貯留したり、また、合流式管渠の雨水吐き室では、雨水流出量の内、処理場で汚水として扱う下水量以上の雨水を放流管渠によって河川、海域、湖沼等に放流するようにしている。
これらの施設では、雨水貯留池への流入部や放流管渠への流入部に適当な高さの越流堰を設け、該越流堰で雨水流入量を調整するようにしているが、降雨初期の増水に伴って前記施設への越流水には、分流式下水道の雨水管渠では道路面のごみを、また、合流式管渠では道路面のごみや汚物等を含んでおり、これらは、越流部分から貯留池や河川等へと流れ込むため、利水における障害となったり、放流水域を汚濁するという問題があった。
また、この利水における障害や放流水域の汚濁を防止する目的で、雨水に含まれるごみ等が貯留池や河川等へ流入するのを防ぐように、合流管渠の主幹線から越流雨水幹への落ち口等に除塵装置を配設している。
この除塵装置としては、越流雨水幹への落ち口等に、バースクリーンを垂直あるいは上部が後退するように傾斜して配設し、バースクリーンにて捕捉されたごみを、バースクリーンに沿って移動するようにしたレーキ装置にて掻き揚げ排出するように構成したり、あるいは  ドーナツ形をしたディスクを所定のスクリーン目幅間隔にてディスク軸に串装して一体とし、これを駆動手段にて回動させるように構成したディスクスクリーン等を採用している。
【０００３】
【発明が解決しようとする課題】
ところで、上記従来の越流水の除塵装置においては、バースクリーン式除塵機、ディスクスクリーン式除塵機のいずれにおいてもスクリーンに詰まったごみを除去されるごみ除去手段を備える必要があり、またこのごみ除去手段を駆動する駆動手段も必要となり、このため除塵装置の構造が複雑となり、高価なものになるという問題があった。
【０００４】
本発明は、上記従来の越流水の除塵装置の有する問題点に鑑み、他の動力源を一切用いることなく、越流水の水圧を利用してドラムスクリーンを回転させて、越流水に含むごみを、ドラムスクリーンに目詰まりを生じることなく、該ドラムスクリーンにて濾過除去することにより円滑に除去できるようにした越流水の除塵装置を提供することを目的とする。
【０００５】
【課題を解決するための手段】
上記目的を達成するため、本発明の越流水の除塵装置は、流水路に設けた越流堰の上方位置に回転可能に配設したドラムスクリーンと、該越流堰の下流側で、かつドラムスクリーンにて濾過された越流水の放流部との間に配設し、ドラムスクリーンの外表面に付着し、逆洗にて除去されるごみを受け、系外に排出するようにした濾過ごみ排出樋とより構成したことを特徴とする。
なお、ここで「ドラムスクリーン」には、メッシュ、パンチングメタルを用いたもののほか、ディスクスクリーンを含むものである。
【０００６】
この越流水の除塵装置は、越流堰の上方位置に回転可能に配設したドラムスクリーンにより、該ドラムスクリーンを通過する越流水は濾過され、越流水中のごみは、ドラムスクリーンの外表面に付着して分離除去され、かつドラムスクリーンを通過する越流水の一部にてドラムスクリーンが逆洗されるようになって付着ごみを濾過ごみ排出樋内に流し去り、系外に排出することができるので、ドラムスクリーンに目詰まりを生じることなく、越流水に含まれるごみの濾過除去を円滑に、確実に行うことができる。
【０００７】
この場合、ドラムスクリーンを、円筒形とすることができる。
【０００８】
これにより、ドラムスクリーンの製造が簡単となり、かつ回転するドラムスクリーンの外表面に越流水に含まれるごみを確実に付着して除去することができ、かつ逆洗も容易に行える。
【０００９】
また、この場合、ドラムスクリーンを、ドラムスクリーンを経て放流部側に流下する越流水の流下水圧にて回転するように配設した水車にて回転するように構成することができる。
【００１０】
これにより、越流水の流下水圧にて回転する水車にてドラムスクリーンを回転するようにしているから、他の動力源を一切用いることなく、ドラムスクリーンを回転させるので、ランニングコストを安価にすることができるとともに、動力源のない遠隔地などにも設置することができる。
【００１１】
【発明の実施の形態】
以下、本発明の越流水の除塵装置の実施の形態を図面に基づいて説明する。
【００１２】
図１〜図２に、本発明の越流水の除塵装置を、越流雨水幹への落ち口等に適用した１実施例を示す。
本発明の越流水の除塵装置は、越流雨水幹への落ち口等に形成した越流堰１と、この越流堰１の上方位置に越流水を遮るようにし、かつ回転可能にして配設したドラムスクリーン２と、該ドラムスクリーン２にて濾過除塵されたごみを越流水の一部と共に排出する濾過ごみ排出樋３と、越流水の落ち口に配設し、かつ越流水圧にて回転し、前記ドラムスクリーン２を回転させるようにした水車４とより構成する。
【００１３】
ドラムスクリーン２は、所要の径と長さを有する円筒形で、その外周表面が濾過体を構成するようにし、かつ濾過すべきごみ（夾雑物）に応じて、メッシュ、パンチングメタル、ディスクスクリーンのいずれか、あるいは他の機構を用いることができるとともに、両端部には該ドラムスクリーン２を回転可能に支持するための軸２１、２１を備える。
なお、このドラムスクリーン２を越流堰１の上方位置にて、回転可能に配設する際、越流雨水の水位は、特に限定されるものではないが、例えば、図１に示すように、ドラムスクリーン２の中央位置付近になるように設定し、これによりドラムスクリーン２の上部は水面位置より上部に突出し、下部は水面に没するようにし、越流雨水に含まれるごみ（夾雑物）を濾過により除去できるように濾過部とする。
【００１４】
また、この越流堰１の下流側には、汚水管（図示省略）を接続した濾過ごみ排出樋３を配設する。
この濾過ごみ排出樋３は、上面が開口し、ドラムスクリーン２の長手方向軸心に沿って配設し、かつこの開口面をドラムスクリーン２の外周面の一部と対峙するようにし、これによりドラムスクリーン２の回転によってドラムスクリーン２の外周面に付着した状態で移送されてきたごみを越流堰１を過ぎた位置で、濾過ごみ排出樋３内に越流水の一部８ｂと共に流れ込むようにする。従ってこの濾過ごみ排出樋３を配設した位置が、ドラムスクリーン２の逆洗部ともなる。
なお、この場合、ドラムスクリーン２の外周面に付着したごみ（夾雑物）が、濾過ごみ排出樋３の位置を通過して、ドラムスクリーン２からの放流水側に排出若しくは流出しないように付着ごみ除去用のブラシ５を、濾過ごみ排出樋３に配設する。
【００１５】
また、水車４は、ドラムスクリーン２にて濾過された越流水８ａが落下する位置に配設し、これにより越流水の落下水圧を動力源として回転可能とする。この水車４の配設位置は、特に限定されるものではないが、例えば、図１に示すように、濾過ごみ排出樋３に沿った下方位置で、最も越流水８ａが大量に落下する位置に配設するのが望ましい。
水車４とドラムスクリーン２とは、水車４の回転動力がドラムスクリーン２側に伝達されるように動力伝達手段（図示省略）を介して連結する。この動力伝達手段は、特に限定されるものではないが、例えば、水車４とドラムスクリーン２との軸端に取り付けたスプロケットホイール（図示省略）間にチェン（図示省略）を張架して構成することができる。
【００１６】
次に、この越流水の除塵装置の動作について説明する。
雨水などが流水路６を流れ、該流水路６より越流堰１を経て越流雨水幹へ流れ落ちる時、越流水はまず、越流堰１の上方位置に配設されたドラムスクリーン２の外側から内側に流れ、その間に濾過が行われ、越流水中に含まれていたごみはドラムスクリーン２の外表面に付着する。
【００１７】
このドラムスクリーン２にて濾過され、放流側７に流下する越流水８ａの水圧にて水車４は回転駆動され、その回転力が動力伝達手段を介してドラムスクリーン２側に伝達されているので、ドラムスクリーン２はゆっくりと回転する。この回転速度は、特に限定されるものではないが、例えば、２０ｒｐｍ程度とし、その回転方向は、図示の実施例では半時計方向の左回転とする。これにより、回転するドラムスクリーン２は、流水路６側で水位よりも低い部分が濾過部となり、流水路６を流下するごみは、流れと逆らう方向に回転するドラムスクリーン２の外表面の濾過部にて濾過され、かつ流水力によりドラムスクリーン２の外表面に付着する。
【００１８】
ドラムスクリーン２の回転により、該ドラムスクリーン２の外表面に付着したごみは、越流堰１を超えて下流側の濾過ごみ排出樋３に達する。この濾過ごみ排出樋３内には、ドラムスクリーン２の内側に流れ込んだ越流水８ａの一部８ｂが、今度はドラムスクリーン２の内側から外側に向けて通過する。この越流堰１の下流側には濾過ごみ排出樋３が配設されているので、ここでドラムスクリーン２の外表面に付着したごみが洗われて、濾過ごみ排出樋３内に越流水の一部８ｂとともに流れ、濾過水と分離される。その後、この濾過ごみ排出樋３内に流れ込んだ越流水８ｂとごみは、共に汚水管（図示省略）を経て処理水として汚水処理場に送られ処理される。
【００１９】
また、他方該ドラムスクリーン２から濾過ごみ排出樋３の外側に流れ出た越流水８ａは、放流水として放流溝又は管（図示省略）から放流される。
【００２０】
以上、本発明の越流水の除塵装置について、その実施例に基づいて説明したが、本発明は上記実施例に記載した構成に限定されるものではなく、その趣旨を逸脱しない範囲において適宜その構成を変更することができるものである。
【００２１】
【発明の効果】
請求項１記載の発明によれば、流水路に設けた越流堰の上方位置に回転可能に配設したドラムスクリーンと、該越流堰の下流側で、かつドラムスクリーンにて濾過された越流水の放流部との間に配設し、ドラムスクリーンの外表面に付着し、逆洗にて除去されるごみを受け、系外に排出するようにした濾過ごみ排出樋とより構成しているから、越流堰の上方位置に回転可能に配設したドラムスクリーンにより、該ドラムスクリーンを通過する越流水は濾過され、越流水中のごみは、ドラムスクリーンの外表面に付着して分離除去され、かつドラムスクリーンを通過する越流水の一部にてドラムスクリーンが逆洗されるようになって付着ごみを濾過ごみ排出樋内に流し去り、系外に排出することができるので、ドラムスクリーンに目詰まりを生じることなく、越流水に含まれるごみの濾過除去を円滑に、確実に行うことができる。
【００２２】
また、請求項２記載の発明によれば、ドラムスクリーンを、円筒形とすることから、ドラムスクリーンの製造が簡単となり、かつ回転するドラムスクリーンの外表面に越流水に含まれるごみを確実に付着して除去することができ、かつ逆洗も容易に行える。
【００２３】
また、請求項３記載の発明によれば、越流水の流下水圧にて回転する水車にてドラムスクリーンを回転するようにしているから、他の動力源を一切用いることなく、ドラムスクリーンを回転させるので、ランニングコストを安価にすることができるとともに、動力源のない遠隔地などにも設置することができる。
【図面の簡単な説明】
【図１】本発明の越流水の除塵装置の１実施例を示す正面縦断面図である。
【図２】ドラムスクリーン部の側面縦断面図である。
【符号の説明】
１    越流堰
２    ドラムスクリーン
２１  軸
３    濾過ごみ排出樋
４    水車
５    ごみ除去用のブラシ
６    流水路
７    放流側
８ａ  越流水
８ｂ  越流水
【図１】
2004275942.tif 000003
【図２】
2004275942.tif 000004